(57)【要約】【課題】折り畳み傘を傘袋に収納する場合に、装置内部に入った手が開放操作部材で挟まれることを防止することができる傘袋収納装置を提供する。【解決手段】装置本体１に傘袋３０を充填し、傘袋３０の開口３１を開放する舌片１９及び石突板１７とを回転板１５に取り付けて回動可能に設け、石突板１７に折り畳み傘４０の先端を当接させて回動させることにより、舌片１９で傘袋３０の開口３１を開放する傘袋収納装置であって、長孔１７ｃと第１支軸１４の突出部分との係合で石突板１７及び舌片１９を進退可能とし、且つトーションばね２１で石突板１７及び舌片１９を前方へ傘袋３０に向かって付勢する。【選択図】図７
2006151401.tif 000002
【特許請求の範囲】
【請求項１】
装置本体に傘袋を充填し、傘袋の開口を開放する開放操作部材を装置本体内に回動可能に設け、開放操作部材に傘の先端を当接させて回動させることにより傘袋の開口を開放する傘袋収納装置であって、開放操作部材を進退可能とし、且つ前方へ付勢することを特徴とする傘袋収納装置。
【請求項２】
開放操作部材と開放操作部材が係合された回転板のいずれか一方に進退方向へ延びる長孔、他方に突出部を設け、長孔に突出部を移動可能に係合することにより、開放操作部材を回転板に対して進退可能とすることを特徴とする請求項１記載の傘袋収納装置。
【請求項３】
開放操作部材をばね部材で常時前方に付勢することを特徴とする請求項１又は２記載の傘袋収納装置。
【発明の詳細な説明】
【技術分野】
【０００１】
本発明は、例えばホテルや店舗等の入口に設置され、雨天時に濡れた傘を傘袋内に収納する装置に関する。
【背景技術】
【０００２】
雨天時に濡れた傘を傘袋内に収納する装置として、例えば特許文献１のように、多数の傘袋を収容した略箱状の装置本体の上部に傘を挿入する際のガイド部材を備えた投入口を設け、傘袋の開口内に進入して前記開口を開放させる開放操作部材を投入口の下方に設け、開放操作部材を投入口への傘の進入動作に連動して動作させるようにしたものが知られている。
【０００３】
【特許文献１】特開平９−２７２５１９号公報
【発明の開示】
【発明が解決しようとする課題】
【０００４】
ところで、傘袋収納装置に傘を挿入する場合、通常の傘では取手を持って投入口へ傘を入れるため、装置内部へ手が入ることは無いが、傘袋収納装置に折り畳み傘を挿入して傘袋に収納する場合、折り畳み傘の取手が短いために投入口内に手が入り、開放操作部材で手を挟む危険がある。そのため、折り畳み傘を傘袋に収納する場合に、装置内部に入った手が開放操作部材で挟まれることを防止できる傘袋収納装置が求められている。
【０００５】
本発明は上記課題に鑑み提案するものであって、折り畳み傘を傘袋に収納する場合に、装置内部に入った手が開放操作部材で挟まれることを防止することができる傘袋収納装置を提供することを目的とする。
【課題を解決するための手段】
【０００６】
本発明の傘袋収納装置は、装置本体に傘袋を充填し、傘袋の開口を開放する開放操作部材を装置本体内に回動可能に設け、開放操作部材に傘の先端を当接させて回動させることにより傘袋の開口を開放する傘袋収納装置であって、開放操作部材を進退可能とし、且つ前方へ付勢することを特徴とする。
【０００７】
更に、本発明の傘袋収納装置は、開放操作部材と開放操作部材が係合された回転板のいずれか一方に進退方向へ延びる長孔、他方に突出部を設け、長孔に突出部を移動可能に係合することにより、開放操作部材を回転板に対して進退可能とする、又は、開放操作部材をばね部材で常時前方に付勢することを特徴とする。
【発明の効果】
【０００８】
本発明の傘袋収納装置は、開放操作部材を傘袋の方へ前方に向かって付勢することにより、傘袋の開口の確実な開放を確保することができると共に、開放操作部材を進退可能とすることにより、折り畳み傘を傘袋に収納する場合に装置内部に入った手が開放操作部材で挟まれることを防止することができるという効果を有する。更に、長孔と突出部の係合で開放操作部材を進退可能とする構成や、開放操作部材をばね部材で常時前方に付勢する構成により、簡単且つ低コストな構造で、開放操作部材の進退動作や開放操作部材の前方付勢を実現することができる。
【発明を実施するための最良の形態】
【０００９】
本発明の傘袋収納装置を図に示す実施形態に基づき説明する。
【００１０】
本実施形態の傘袋収納装置には、図１〜図６に示すように、縦長の略箱形に形成された装置本体１が底板２上に設けられている。装置本体１は四方に側板３を有し、正面の側板３は中間より若干下までの高さになっている。正面の上端近傍には正面視長方形の前部カバー４が取り付けられ、正面の側板３と前部カバー４との間は、傘袋３０に収納された折り畳み傘４０が取り出される取出口５になっている。また、装置本体１の上面後部には後部カバー６が取り付けられ、後部カバー６の前部には前方へ向かって斜め下方に傾斜する傾斜面６ａが形成されている。
【００１１】
前部カバー４の上端は、図４に示すように、内側に湾曲して先端が右斜め下方へ延びる傾斜面４ａになっており、傾斜面４ａの下方には傾斜面４ａと略同一の傾斜角度でゲート板７が配設され、ゲート板７は後部カバー傾斜面６ａと対向してテーパを構成している。また、ゲート板７と後部カバー傾斜面６ａとの対向領域の両側には一対のテーパ板８・８が取り付けられており、前部カバー傾斜面４ａ及びゲート板７と、後部カバー傾斜面６ａと、一対のテーパ板８・８とでガイド部材を構成し、これらで囲まれた開口が投入口９になっている。
【００１２】
装置本体１の上部には、図３及び図４に示すように、傘袋３０を吊り下げ保持する一対の棒状ハンガー１０・１０が前後方向に配設されており、棒状ハンガー１０・１０の一端は固定支持板１１に取り付けられ、その他端は図に省略した背面の側板３近傍の固定部材に取り付けられている。ハンガー１０・１０には、図に省略した傘袋３０の一対の小孔を挿通することにより、合成樹脂等でなる多数の傘袋３０が吊り下げ保持され、傘袋３０は後方に取り付けられた板状の付勢ばね１２で前方へ常時移動付勢されている。
【００１３】
また、前部カバー４の下端には、内方へ屈曲して形成された下面４ｂと、下面４ｂから上方へ屈曲して形成された内側面４ｃとが設けられている。下面４ｂの上には軸受部材１３が固定され、軸受部材１３は両側で内方へ突出し、その両側の突出部１３ａで第１支軸１４の両端近傍を軸支している。突出部１３ａには、断面視略コ字形の回転板１５が上方から被さっており、回転板１５の両側の側板１５ａには第１支軸１４がそれぞれ挿通され、回転板１５は第１支軸１４を中心に回転可能になっている。更に、第１支軸１４には弦巻ばね１６が巻回され、その一端が前部カバー内側面４ｃの挿通孔に挿通保持されており、弦巻ばね１６の他端が回転板１５を第１支軸１４より前の位置で上方へ常時回動付勢し、回転板１５は側板１５ａの下端が下面４ｂに当接して水平状態になっている。
【００１４】
回転板１５には、断面視略コ字形の石突板１７が係合載置され、それぞれ両側の側板１７ａと内方へ屈曲する屈曲片１７ｂとで回転板１５の両側板１５ａを抱えるように係合されている。石突板１７の側板１７ａには長孔１７ｃが側板１７ａの長手方向に沿ってそれぞれ形成されており、長孔１７ｃには第１支軸１４の両端がそれぞれ突出して挿通され、第１支軸１４の両端のストッパ金具１４ａで抜け止めされている。石突板１７は、第１支軸１４の端部が、長孔１７ｃの前端から後端の位置までの範囲で進退可能である。
【００１５】
石突板１７の前端近傍には、第２支軸１８が軸支されており、第２支軸１８の両端はストッパ金具１８ａで抜け止めされている。第２支軸１８には、石突板１７の内側で舌片１９の後端側部１９ａが挿通され、舌片１９が回転可能に連結されている。更に、第２支軸１８には弦巻ばね２０が巻回され、その一端が石突板１７の下面で支持され、その他端が舌片１９の略中央位置に取り付けられており、舌片１９は弦巻ばね２０で石突板１７の前端の折曲部１７ｄに当接する方向に回動付勢され、第２支軸１８を中心に揺動可能になっている。尚、本実施形態の開放操作部材は、石突板１７と舌片１９とで構成される。
【００１６】
また、第１支軸１４と第２支軸１８にはトーションばね２１の両端がそれぞれ巻回されており、第２支軸１８と第２支軸１８と連結された石突板１７と舌片１９は、長孔１７ｃの後端が第１支軸１４の突出部分に位置するように、トーションばね２１の伸長で第１支軸１４から離れる方向へ常時移動付勢されている。前記移動付勢された舌片１９の先端は、最前列の傘袋３０に当接し、且つ、傘袋３０の開口３１の若干上方位置に配置される。
【００１７】
本実施形態の傘袋収納装置で折り畳み傘４０を傘袋に収納する場合には、図６に示すように、折り畳んだ状態の折り畳み傘４０を投入口９から挿入し、その石突を石突板１７に当接して折り畳み傘４０を下方に押し下げる。前記押し下げ動作で、回転板１５及び石突板１７が下方に回動すると共に、舌片１８の先端が当接する最前列の傘袋３０の前面３２を滑るように移動して、前記最前列の傘袋３０の開口３１内に進入する。折り畳み傘４０を更に下降して回転板１５及び石突板１７を回動させていくと、舌片１９が開口３１内に深く進入すると共に傘袋前面３２から離れて開口３１が広く開放し、折り畳み傘４０は傘袋３０内に進入して収納される。傘袋３０に収納された折り畳み傘４０は取出口５から取り出される。
【００１８】
折り畳み傘４０の傘袋３０への収納及び取り出し後には、付勢ばね１２の付勢で次順位の傘袋３０が最前列に移動し、回転板１５・石突板１７・舌片１９が弦巻ばね１６の回動付勢で復帰すると共に、舌片１９は前記最前列の傘袋３０の前面３２に当接し、弦巻ばね１９の付勢に抗して回動される。上記動作を繰り返し、順次折り畳み傘４０が傘袋３０に収納される。
【００１９】
上記収納動作で折り畳み傘４０を下降して傘袋３０に収納する際には、図７及び図８に示すように、利用者の指先が垂直近くまで回動した石突板１７の先端よりも下方に位置するまで、利用者の手が投入口９に入り込むが、図８の石突板１６のスライド機構が無い傘袋収納装置の場合、手を投入口９から抜き出すときに、石突板１７が水平に戻る方向へ回動して、石突板１７の先端と後部カバー６の前面６ｂとで利用者の指先が挟まれてしまう事態が生ずる（図８（ｃ）参照）。
【００２０】
これに対して、石突板１７のスライド機構を有する本実施形態の傘袋収納装置の場合、上記と同様に手を投入口９から抜き出すときに石突板１７が水平に戻る方向へ回動するが、石突板１７は、その先端への利用者の指先の当接により、トーションばね２１の付勢力に抗しながら且つ第２支軸１８の端部が長孔１７ｃの略前端に位置するまで後方へ移動される（図７（ｃ）。従って、石突板１７の先端と後部カバー６の前面６ｂとで利用者の指先が挟まれることを防止することができる。
【００２１】
そして、石突板１７が水平になり、利用者の手が石突板１７の先端から離れると、トーションばね２１の付勢で、石突板１７は第２支軸１８の端部が長孔１７ｃの略後端に位置するまで前方へ移動する（図７（ｄ））。  
上記傘袋収納装置は、回動可能な石突板１７及び舌片１９を傘袋３０に向かって付勢し、舌片１９の進入で傘袋３０の開口３１の確実な開放を確保することができると共に、石突板１７を回転板１５に対して進退可能とし、利用者の手と当たる石突板１７が後方にスライドすることから、投入口９の内部に入った手が石突板１７等で挟まれることを防止することができる。更に、トーションばね２１で石突板１７を移動付勢し、長孔１７ｃと長孔１７ｃから突出する第１支軸１４とを係合して、石突板１７を進退させる構成により、簡単且つ低コストな構造で、石突板１７及び舌片１９の進退動作を得ることができる。更に、石突板１７と舌片１９を第１支軸１４と第２支軸１８に取り付けたトーションばね２１で伸長することにより、簡単且つ低コストな構造で、石突板１７や舌片１９を前方へ付勢することができる。
【産業上の利用可能性】
【００２２】
本発明は、例えばホテルや店舗等の入口に設置され、雨天時に濡れた傘を傘袋内に収納する傘袋収納装置として利用することができる。
【図面の簡単な説明】
【００２３】
【図１】実施形態の傘袋収納装置の正面図。
【図２】図１の傘袋収納装置の上端の平面図。
【図３】図２の拡大平面図。
【図４】図１の傘袋収納装置の部分縦断側面図。
【図５】図１の傘袋収納装置に於ける開放操作部材の設置箇所を示す側面図。
【図６】（ａ）〜（ｃ）は実施形態の傘袋収納装置で折り畳み傘を傘袋に収納する動作を説明する説明図。
【図７】（ａ）〜（ｄ）は実施形態の傘袋収納装置で折り畳み傘を傘袋に収納する際の開放操作部材と手の動きを説明する説明図。
【図８】（ａ）〜（ｃ）はスライド機構の無いの傘袋収納装置で折り畳み傘を傘袋に収納する際の開放操作部材と手の動きを説明する説明図。
【符号の説明】
【００２４】
１  装置本体
４  前部カバー
５  取出口
７  ゲート板
８  テーパ板
９  投入口
１０  ハンガー
１２  付勢ばね
１３  軸受部材
１４  第１支軸
１５  回転板
１６、２０  弦巻ばね
１７  石突板
１７ｃ  長孔
１８  第２支軸
１９  舌片
２１  トーションばね
３０  傘袋
３１  開口
４０  折り畳み傘
【図１】
2006151401.tif 000003
【図２】
2006151401.tif 000004
【図３】
2006151401.tif 000005
【図４】
2006151401.tif 000006
【図５】
2006151401.tif 000007
【図６】
2006151401.tif 000008
【図７】
2006151401.tif 000009
【図８】
2006151401.tif 000010